(57)【特許請求の範囲】
【請求項１】
メディア挿入口を有する機器本体と、ガイド溝に沿って移動可能となるように前記機器本体に保持された可動ノーズと、この可動ノーズの背面に設けられた歯部に噛合する駆動歯車とを備え、この駆動歯車の回動に伴う前記可動ノーズの傾倒動作および起立動作により前記メディア挿入口を開閉させるようにした車載用電子機器の前面パネル装置において、
ピッチ円の中心が異なる複数種類の歯溝を連続形成して前記歯部となすと共に、これら歯溝の各ピッチ円の中心に対応する複数種類の円弧状溝を連続形成して前記ガイド溝となし、前記各ピッチ円に沿った複数種類の回転運動を組み合わせて前記可動ノーズの姿勢を変化させるようにしたことを特徴とする車載用電子機器の前面パネル装置。
【請求項２】
前記ガイド溝を、前記機器本体と前記可動ノーズにそれぞれ設けたことを特徴とする請求項１記載の車載用電子機器の前面パネル装置。
【請求項３】
メディア挿入口を有する機器本体と、ガイド溝に沿って移動可能となるように前記機器本体に保持された可動ノーズと、この可動ノーズの背面に設けられた歯部に噛合する駆動歯車とを備え、この駆動歯車の回動に伴う前記可動ノーズの傾倒動作および起立動作により前記メディア挿入口を開閉させるようにした車載用電子機器の前面パネル装置において、
歯溝を円弧状に列設して前記歯部となすと共に、前記機器本体の先端部に非円弧状に延びる前記ガイド溝を設け、前記駆動歯車の回動に伴い前記可動ノーズの回転中心が連続的に変化するようにしたことを特徴とする車載用電子機器の前面パネル装置。
【請求項４】
前記ガイド溝が直線状に延びる溝であることを特徴とする請求項３記載の車載用電子機器の前面パネル装置。
【請求項５】
前記機器本体に緩衝部材を付設すると共に、前記可動ノーズに前記緩衝部材が挿入される逃げ溝を設け、前記傾倒動作の完了時と前記起立動作の完了時にそれぞれ、前記緩衝部材が前記逃げ溝の相異なる端部に当接するようにしたことを特徴とする請求項１〜４のいずれかに記載の車載用電子機器の前面パネル装置。
【発明の詳細な説明】
【０００１】
【発明の属する技術分野】
本発明は、カーオーディオ等の車載用電子機器の機器本体前面に配置される前面パネル装置に係り、特に、可動ノーズ（可動フロントパネル）の背面に駆動歯車と噛合する歯部が設けられ、この駆動歯車の回転に連動して可動ノーズがガイド溝に沿って移動するタイプの前面パネル装置に関する。
【０００２】
【従来の技術】
一般的に、カセットテーププレーヤやＣＤプレーヤ等の車載用電子機器には、機器本体の前面パネル部に各種操作キーや表示部あるいはメディア挿入口（テープ挿入口やＣＤ挿入口など）が配設されているが、近年の多機能化に伴って表示部が大型化したり操作キーの数が増加してくると、これら操作キーと表示部およびメディア挿入口の全てを前面パネル部の限られたスペース内に配設することが困難となる。そのため、最近、機器本体の前面パネル部にメディア挿入口を設けると共に、この前面パネル部を覆う可動ノーズの表面に操作キーと表示部を配設し、この可動ノーズを回動操作することによりメディア挿入口を選択的に開閉するようにした前面パネル装置が普及しつつある。
【０００３】
この種の前面パネル装置は、機器本体のメディア挿入口を蓋閉している起立状態の可動ノーズの表示部に所望の表示を行わせたり、その操作キーを操作することができるので、メディア挿入口の前面領域がデッドスペースとならず、また、カセットテープの交換時などメディア挿入口を露出させる必要がある場合には、例えば、機器本体に設けられて前後方向に移動可能な駆動アームやスライダ等で可動ノーズの下端部を押し込み手前へ移動させることにより、この可動ノーズの上端部をメディア挿入口よりも下方へ移動させられるようになっている。
【０００４】
しかしながら、上述したように機器本体に設けた駆動アーム等で可動ノーズの下端部を前後方向へ駆動するという方式の場合、駆動源から伝達される力で自身が前後方向へ移動可能な該駆動アーム等の長手寸法を、可動ノーズの下端部の前方への移動量よりも十分に長く設定しておかなければならないので、機器本体の下部の奥行寸法に制約があるような場合には、該駆動アーム等を機器本体に設けることが困難になるという不具合があった。
【０００５】
そこで従来、歯溝を円弧状に列設してなる歯部を可動ノーズの背面に設け、この歯部のピッチ円に沿って可動ノーズを移動させるような開閉機構を採用することにより、さほど奥行寸法を必要としない駆動手段で可動ノーズを駆動するという技術が提案されている。
【０００６】
かかる従来提案について図６を参照しつつ説明すると、同図に示す車載用電子機器の前面パネル装置は、可動ノーズ１の左右両側の後部にそれぞれ被駆動板３が突設してあって、この被駆動板３の背面に歯溝２を円弧状に列設してなる歯部が形成してあると共に、これらの歯溝２に噛合する駆動歯車４や該駆動歯車４を回転駆動するモータ（図示せず）が機器本体５に配設してあり、このモータで駆動歯車４を駆動することにより、可動ノーズ１が回転中心線Ｏを中心に回動可能となっている。また、被駆動板３には歯溝２に沿って円周形状の第１のガイド溝６が開設してあり、このガイド溝６に挿入されて摺動自在に係合する第１のガイドピン７が駆動歯車４と対向するように機器本体５に設けてある。さらに、可動ノーズ１の側面上部には第２のガイドピン８が突設してあり、このガイドピン８を挿入して摺動自在に係合させるための円周形状の第２のガイド溝９が機器本体５に設けてある。なお、歯溝２のピッチ円の中心や円周形状の第１および第２のガイド溝６，９の円中心は回転中心線Ｏと合致している。
【０００７】
機器本体３は例えばカセットテーププレーヤやＣＤプレーヤなどであって、そのメディア挿入口１０（テープ挿入口やＣＤ挿入口など）を、図６に実線で示す起立状態の可動ノーズ１が覆い隠すようになっている。また、カセットテープの交換時などメディア挿入口１０を露出させる必要がある場合には、前記モータで駆動歯車４を矢印Ａ方向へ駆動して、可動ノーズ１を図６に破線で示す状態から二点鎖線で示す最大傾倒状態まで徐々に回転させていくことにより、この可動ノーズ１の上端部をメディア挿入口１０よりも下方へ移動させられるようになっている。
【０００８】
このような前面パネル装置は、駆動歯車４で可動ノーズ１の被駆動板３を駆動することにより、歯溝２のピッチ円に沿って可動ノーズ１を回転中心線Ｏを中心に回転させることができるので、機器本体５のメディア挿入口１０を蓋閉している起立状態の可動ノーズ１を最大傾倒状態まで回転させれば、このメディア挿入口１０を露出させてカセットテープやＣＤ等の挿抜を行うことができる。また、この前面パネル装置は、前記駆動アーム等のように前後方向へ大きく移動する部材を用いておらず、取付スペースにさほど奥行寸法を必要としない駆動歯車４や前記モータ等によって可動ノーズ１に開閉動作を行わせるというものなので、コンパクト化を進めるため機器本体５の奥行寸法に制約がある場合にも、可動ノーズ１でメディア挿入口１０を開閉する機構を無理なく設計することができる。
【０００９】
【発明が解決しようとする課題】
図６に示す従来技術は、円弧状に列設した歯溝２のピッチ円に沿って可動ノーズ１を回動させるというものなので、多機能化に伴い可動ノーズの厚みを増大させる必要が生じた場合、ガイド溝６，９を長く延ばすなどして該可動ノーズをかなり回転させないとメディア挿入口１０を露出させることができず、設計上の制約が大きくなる。特に、液晶テレビ等を内蔵した分厚い可動ノーズを組み込んだ場合には、かなり回転させても該可動ノーズの上端前部を十分に下降させることができないので、メディア挿入口１０を露出させることが困難になるという問題点があった。なお、単純な円運動であると可動ノーズの下端側に突出部等が設けられている場合に、その突出部等に可動ノーズが衝突してしまうので、可動ノーズの下端側に空間を形成しなければならなくなり、デザイン上の自由度が拘束されることになる。
【００１０】
また、前述した駆動アーム等により可動ノーズを傾倒させる従来技術の場合、厚みのある可動ノーズの上端前部を大きく下げるためには下端部を相当量手前へ前進させなければならないので、必然的に駆動アーム等も長くしておかねばならず、それゆえ該駆動アーム等の取付スペースや移動スペースを機器本体に確保することが一層困難となる。
【００１１】
【課題を解決するための手段】
本発明は、可動ノーズの背面にピッチ円の中心が異なる複数種類の歯溝を連続形成しておくことにより、これらピッチ円に沿った複数種類の回転運動を組み合わせて該可動ノーズの姿勢を変化させるようにした。また、他の解決手段として本発明は、可動ノーズの歯溝を円弧状に列設して機器本体のガイド溝を直線状等の非円弧状にしておくことにより、該可動ノーズの回転中心が連続的に変化するようにした。このような前面パネル装置は、可動ノーズの上端前部を効率良く下降させることができるので、可動ノーズの厚さ寸法が大きい場合にも、メディア挿入口を露出させうる開閉動作を該可動ノーズに行わせることが容易となり、装置の多機能化や可動ノーズの厚さ増大に対処しやすくなる。
【００１２】
【発明の実施の形態】
本発明の一実施形態は、メディア挿入口を有する機器本体と、ガイド溝に沿って移動可能となるように前記機器本体に保持された可動ノーズと、この可動ノーズの背面に設けられた歯部に噛合する駆動歯車とを備え、この駆動歯車の回動に伴う前記可動ノーズの傾倒動作および起立動作により前記メディア挿入口を開閉させるようにした車載用電子機器の前面パネル装置において、ピッチ円の中心が異なる複数種類の歯溝を連続形成して前記歯部となすと共に、これら歯溝の各ピッチ円の中心に対応する複数種類の円弧状溝を連続形成して前記ガイド溝となし、前記各ピッチ円に沿った複数種類の回転運動を組み合わせて前記可動ノーズの姿勢を変化させるようにした。
【００１３】
このように構成される前面パネル装置は、メディア挿入口を蓋閉している起立状態の可動ノーズを例えば小なる回転半径で速やかに傾倒させた後、大なる回転半径で速やかに下降させることができるので、厚さ寸法が大きい可動ノーズであってもその上端前部を効率良く下降させて、メディア挿入口を大きく露出させることが可能となる。
【００１４】
また、本発明の他の実施形態は、メディア挿入口を有する機器本体と、ガイド溝に沿って移動可能となるように前記機器本体に保持された可動ノーズと、この可動ノーズの背面に設けられた歯部に噛合する駆動歯車とを備え、この駆動歯車の回動に伴う前記可動ノーズの傾倒動作および起立動作により前記メディア挿入口を開閉させるようにした車載用電子機器の前面パネル装置において、歯溝を円弧状に列設して前記歯部となすと共に、前記機器本体の先端部に非円弧状（例えば直線状）に延びる前記ガイド溝を設け、前記駆動歯車の回動に伴い前記可動ノーズの回転中心が連続的に変化するようにした。
【００１５】
このように構成される前面パネル装置は、駆動歯車に駆動される可動ノーズの回転方向が非円弧状のガイド溝の規制を受けるため、メディア挿入口を蓋閉している起立状態の可動ノーズを例えば小なる回転半径から次第に大なる回転半径へと連続的に変化させながら傾倒させることができ、それゆえ厚さ寸法が大きい可動ノーズであってもその上端前部を効率良く下降させることができる。また、円弧状に列設した歯溝からなる歯部なので、加工精度も出しやすい。
【００１６】
【実施例】
実施例について図面を参照して説明すると、図１は本発明の第１実施例に係る前面パネル装置の概略断面図、図２は第１実施例における歯部の拡大図、図３は本発明の第２実施例に係る前面パネル装置の概略断面図、図４は本発明の第３実施例に係る前面パネル装置の概略断面図、図５は第３実施例の動作説明図であり、従来技術の説明に用いた図６と対応する部分には同一符号が付してある。
【００１７】
まず、本発明の第１実施例について説明すると、図１に示す車載用電子機器の前面パネル装置は、可動ノーズ１の左右両側の後部に突設されている被駆動板３の背面に、ピッチ円の中心が異なる２種類の歯溝２ａ，２ｂが連続形成してあって、これらの歯溝２ａ，２ｂに連続的に噛合する駆動歯車４や該駆動歯車４を回転駆動する図示せぬモータが機器本体５に配設してあり、このモータで駆動歯車４を駆動することにより、可動ノーズ１が回転中心線Ｏ１もしくはＯ２を中心に回動可能となっている。また、被駆動板３には、歯溝２ａに沿う円弧と歯溝２ｂに沿う円弧を連続させた非円周形状の第１のガイド溝６が開設してあり、このガイド溝６に挿入されて摺動自在に係合する第１のガイドピン７が駆動歯車４と対向するように機器本体５に設けてある。さらに、可動ノーズ１の側面上部に突設されている第２のガイドピン８を挿入して摺動自在に係合させるため、歯溝２ａに沿う円弧と歯溝２ｂに沿う円弧を連続させた非円周形状の第２のガイド溝９が機器本体５に設けてある。
【００１８】
機器本体５は例えばカセットテーププレーヤやＣＤプレーヤなどであって、そのメディア挿入口１０（テープ挿入口やＣＤ挿入口など）を、図１に実線で示す起立状態の可動ノーズ１が覆い隠すようになっている。また、カセットテープの交換時などメディア挿入口１０を露出させる必要がある場合には、前記モータで駆動歯車４を矢印Ａ方向へ駆動して、可動ノーズ１を図１に二点鎖線で示す最大傾倒状態まで徐々に回転させていくことにより、この可動ノーズ１の上端部をメディア挿入口１０よりも下方へ移動させられるようになっている。
【００１９】
すなわち、図１に示す前面パネル装置は、起立状態の可動ノーズ１を、まず駆動歯車４が噛合する歯溝２ａのピッチ円に沿って回転中心線Ｏ１を中心に回転させ、可動ノーズ１が所定量傾倒して駆動歯車４が歯溝２ｂと噛合し始めると今度は、歯溝２ｂのピッチ円に沿って回転中心線Ｏ２を中心に可動ノーズ１を回転移動させるようになっており、可動ノーズ１にとって回転中心線Ｏ１を中心とする回転半径よりも回転中心線Ｏ２を中心とする回転半径のほうが大きくなるように設定してある。
【００２０】
このように、ピッチ円の中心が異なる２種類の歯溝２ａ，２ｂに駆動歯車４を連続的に噛合させて、機器本体５のメディア挿入口１０が略閉状態のときには可動ノーズ１の回転半径が小さく、メディア挿入口１０が略開状態のときには可動ノーズ１の回転半径が大きくなるようにしてあると、メディア挿入口１０を蓋閉している起立状態の可動ノーズ１を小なる回転半径で速やかに傾倒させた後、大なる回転半径で可動ノーズ１の上端部を速やかに下降させることができる。それゆえ、こうして２種類の回転運動を組み合わせて可動ノーズ１の姿勢を変化させれば、固定パネル１１などにより上方や下方への移動が規制されていて移動領域がほぼ前方のみに限定される可動ノーズ１の厚さ寸法が大きくても、メディア挿入口１０を大きく露出させうる傾倒姿勢を無理なく実現することができ、よって液晶テレビ等を内蔵させた分厚い可動ノーズ１を前面パネル装置に採用することができる。
【００２１】
また、上述した実施例では、歯溝２ａ（または歯溝２ｂ）と噛合している駆動歯車４が円滑に歯溝２ｂ（または歯溝２ａ）と噛合できるようにするため、図２に示すように、被駆動板３の歯溝２ａと歯溝２ｂの境界に位置する歯１２に所定形状の面取り部１２ａ，１２ｂが形成してある。すなわち、この歯１２には、可動ノーズ１の開動作（傾倒動作）に伴い歯溝２ａから離脱して歯溝２ｂへと移行する駆動歯車４との干渉を避けるための面取り部１２ａと、可動ノーズ１の閉動作（起立動作）に伴い歯溝２ｂから離脱して歯溝２ａへと移行する駆動歯車４との干渉を避けるための面取り部１２ｂが形成してあるので、歯溝２ａ，２ｂ間を移行する駆動歯車４の回転が歯１２により阻害される心配がなく、よって可動ノーズ１の２種類の回転運動の連続性が保証されている。面取り部１２ａは歯溝２ａから構成される歯群が歯１２の位置に連続的に形成された場合の仮想線上にあり、同じく面取り部１２ｂは歯溝２ｂから構成される歯群が歯１２の位置に連続的に形成された場合の仮想線上にある。
【００２２】
なお、可動ノーズ１の背面にピッチ円の中心が異なる３種類以上の歯溝を連続形成して、可動ノーズ１の姿勢を３種類以上の回転運動を組み合わせて徐々に変化させるように構成すれば、メディア挿入口１０をより大きく露出させうる開閉動作を可動ノーズ１に行わせることができる。
【００２３】
例えば、図３に示す第２実施例の場合、可動ノーズ１の左右両側の後部に突設されている被駆動板３の背面に、ピッチ円の中心が異なる３種類の歯溝２ｃ，２ｄ，２ｅが連続形成してあって、これらの歯溝２ｃ〜２ｅに連続的に噛合する駆動歯車４や該駆動歯車４を回転駆動する図示せぬモータが機器本体５に配設してあり、このモータで駆動歯車４を駆動することにより、可動ノーズ１が回転中心線Ｏ３やＯ４やＯ５を中心に回動可能となっている。また、被駆動板３には、歯溝２ｃに沿う円弧と歯溝２ｄに沿う円弧と歯溝２ｅに沿う円弧とを連続させた非円周形状の第１のガイド溝６が開設してあり、このガイド溝６に挿入されて摺動自在に係合する第１のガイドピン７が駆動歯車４と対向するように機器本体５に設けてある。さらに、可動ノーズ１の側面上部に突設されている第２のガイドピン８を挿入して摺動自在に係合させるため、歯溝２ｃに沿う円弧と歯溝２ｄに沿う円弧と歯溝２ｅに沿う円弧とを連続させた非円周形状の第２のガイド溝９が、機器本体５に設けてある。
【００２４】
すなわち、図３に示す前面パネル装置では、起立状態の可動ノーズ１を、まず駆動歯車４が噛合する歯溝２ｃのピッチ円に沿って回転中心線Ｏ３を中心に小さな回転半径で回転させ、可動ノーズ１が所定量傾倒して駆動歯車４が歯溝２ｄと噛合するようになってからは、回転中心線Ｏ４を中心とするより大きな回転半径で可動ノーズ１を回転移動させ、さらに可動ノーズ１が傾倒して駆動歯車４が歯溝２ｅと噛合するようになってからは、回転中心線Ｏ５を中心とする一層大きな回転半径で可動ノーズ１を回転移動させるという開閉機構を採用している。このように起立状態の可動ノーズ１を徐々に大きな回転半径で回転させるようにすれば、最大傾倒状態における可動ノーズ１の上端前部の位置を下げやすくなるので、前述した第１実施例の場合よりも大きくメディア挿入口１０を露出させることができ、よって可動ノーズ１の厚さ寸法の増大にも対処しやすくなる。また、この第２実施例では可動ノーズ１の回転半径を徐々に変化させるので、駆動歯車４が歯溝２ｃ，２ｄ間や歯溝２ｄ，２ｅ間を円滑に移行しやすく、よって可動ノーズ１の開閉動作を円滑に行わせることが容易となっている。
【００２５】
次に、本発明の第３実施例について説明すると、図４に示す車載用電子機器の前面パネル装置は、可動ノーズ１の左右両側の後部に突設されている被駆動板３の背面に、歯溝２を円弧状に列設してなる歯部が形成してあり、かつ機器本体５の先端部に、可動ノーズ１の側面上部に突設されているガイドピン８を挿入して摺動自在に係合させる直線状のガイド溝１３が開設してある。また、被駆動板３の背面近傍には、ほぼ歯溝２のピッチ円Ｃに沿って延びるガイド溝１４が開設してあり、このガイド溝１４に挿入されて摺動自在に係合するガイドピン７が駆動歯車４と対向するように機器本体５に設けてある。そして、歯溝２に噛合する駆動歯車４や該駆動歯車４を回転駆動する図示せぬモータが機器本体５に配設してあり、このモータで駆動歯車４を矢印Ａ方向へ駆動すると、可動ノーズ１が次第に傾倒していき、そのとき可動ノーズ１の回転中心線は矢印Ｂで示す軌跡上を連続的に移動していく。
【００２６】
すなわち、図４に示す前面パネル装置は、駆動歯車４によって駆動される可動ノーズ１のガイドピン８が、直線状のガイド溝１３の側縁により規制されるため、可動ノーズ１は円運動を行うことができず、ガイドピン８をガイド溝１３に沿って下降させながら被駆動板３を駆動歯車４上で転動させるような動作を行う。したがって、メディア挿入口１０を露出させうる可動ノーズ１の開閉動作は、図５に示すようになる。図５において、矢印Ａ方向へ回転する駆動歯車４が起立状態の可動ノーズ１を駆動すると、ガイドピン８がガイド溝１３の図示右側縁に規制されて下降するので、可動ノーズ１はその回転中心線をＰ１の位置から矢印Ｂ方向へ移動させるような傾倒動作を行う。例えば、可動ノーズ１が図５に破線で示す状態まで傾倒したときには、その回転中心線はＰ２の位置に達しており、二点鎖線で示す状態まで傾倒したとき（最大傾倒状態）には、その回転中心線はＰ３の位置に達している。このように、起立状態の可動ノーズ１を小なる回転半径から次第に大なる回転半径へと連続的に変化させながら傾倒させることができるので、厚さ寸法が大きい可動ノーズ１であっても、その上端前部を効率良く下降させることができる。なお、図４において、符号αで示す１つの歯溝２が駆動歯車４と噛合するときに、可動ノーズ１の回転中心線はＰ２の位置に達し、符号βで示す他の歯溝２が駆動歯車４と噛合するときに、可動ノーズ１の回転中心線はＰ３の位置に達する。また、この前面パネル装置の場合、駆動歯車４と噛合する歯溝２が円弧状に列設されているので加工精度が出しやすく、歯部の長寿命化も期待できる。
【００２７】
さらにまた、この前面パネル装置には、機器本体５に緩衝部材としてのゴム製のストッパ１５が設けてあり、このストッパ１５は被駆動板３のガイド溝１３，１４間に開設した逃げ溝１６に遊挿されている。そして、可動ノーズ１が傾倒動作や起立動作を行っているとき、ストッパ１５は逃げ溝１６に沿って相対的に移動するため可動ノーズ１とは干渉しないが、図５に示すように、可動ノーズ１の起立動作が完了するとストッパ１５は逃げ溝１６の下端部に当接し、可動ノーズ１の傾倒動作が完了するとストッパ１５は逃げ溝１６の上端部に当接する。つまり、可動ノーズ１の起立動作や傾倒動作が完了するときに、ゴム製のストッパ１５を逃げ溝１６の端部に当接させて衝撃を吸収し、ガイドピン７，８がガイド溝１４，１３の端部に当接しないように設定してある。このため、起立動作完了時や傾倒動作完了時に懸念される可動ノーズ１の動作ガタを回避できると共に、ラットルノイズ等の異音の発生を防止することができる。
【００２８】
なお、同様のストッパ１５や逃げ溝１６が前述した第１実施例や第２実施例にも適用できることは言うまでもない。
【００２９】
また、上記第３実施例では、機器本体５の先端部に直線状のガイド溝１３を設けているが、このガイド溝を曲線状に形成しても、可動ノーズ１に同様の傾倒動作や起立動作を行わせることは可能である。ただし、直線状にしておいたほうがガイドピン８を位置規制しやすいので、設計や製作が容易になる。
【００３０】
【発明の効果】
本発明は、以上説明したような形態で実施され、以下に記載されるような効果を奏する。
【００３１】
可動ノーズの背面にピッチ円の中心が異なる複数種類の歯溝を連続形成し、これらピッチ円に沿った複数種類の回転運動を組み合わせて該可動ノーズの姿勢を変化させるようにしておけば、メディア挿入口を蓋閉している起立状態の可動ノーズを例えば小なる回転半径で速やかに傾倒させた後、大なる回転半径で速やかに下降させることができるので、可動ノーズの厚さ寸法が大きい場合にもその上端前部を効率良く下降させることができ、よって液晶テレビ等を内蔵させた厚みのある可動ノーズを前面パネル装置に採用することができる。
【００３２】
また、可動ノーズの歯溝を円弧状に列設して機器本体のガイド溝を直線状等の非円弧状にし、該ガイド溝の規制を受けて可動ノーズの回転中心が連続的に変化するようにしておけば、メディア挿入口を蓋閉している起立状態の可動ノーズを例えば小なる回転半径から次第に大なる回転半径へと連続的に変化させながら傾倒させることができる。それゆえ、可動ノーズの厚さ寸法が大きい場合にもその上端前部を効率良く下降させることができて、液晶テレビ等を内蔵させた厚みのある可動ノーズが前面パネル装置に採用できると共に、歯部が円弧状に列設した歯溝からなるため加工精度が出しやすく、該歯部の長寿命化も期待できる。
【００３３】
また、機器本体に緩衝部材を付設すると共に、可動ノーズに緩衝部材が挿入される逃げ溝を設け、可動ノーズの傾倒動作完了時と起立動作完了時に、該緩衝部材が逃げ溝の相異なる端部に当接するようにしておけば、起立動作完了時や傾倒動作完了時に懸念される可動ノーズの動作ガタを回避できると共に、ラットルノイズ等の異音の発生を防止できる。
【図面の簡単な説明】
【図１】本発明の第１実施例に係る前面パネル装置の概略断面図である。
【図２】第１実施例における歯部の拡大図である。
【図３】本発明の第２実施例に係る前面パネル装置の概略断面図である。
【図４】本発明の第３実施例に係る前面パネル装置の概略断面図である。
【図５】第３実施例の動作説明図である。
【図６】従来技術の説明図である。
【符号の説明】
１  可動ノーズ
２，２ａ，２ｂ，２ｃ，２ｄ，２ｅ  歯溝
３  被駆動板
４  駆動歯車
５  機器本体
６，９  ガイド溝
７，８  ガイドピン
１０  メディア挿入口
１２  歯
１２ａ，１２ｂ  面取り部
１３，１４  ガイド溝
１５  ストッパ（緩衝部材）
１６  逃げ溝
Ｏ１，Ｏ２，Ｏ３，Ｏ４，Ｏ５  回転中心線
Ｐ１，Ｐ２，Ｐ３  回転中心線の通過位置
【図１】
0003607525.tif 000002
【図２】
0003607525.tif 000003
【図３】
0003607525.tif 000004
【図４】
0003607525.tif 000005
【図５】
0003607525.tif 000006
【図６】
0003607525.tif 000007